(57)【要約】【課題】回転つまみの外径寸法を大きくすることなく回転つまみの中央に設置する押釦つまみの外径寸法を大型化でき、また厚み寸法の薄型化も図れる多機能型電子部品を提供する。【解決手段】ケース７０と、ケース７０の上部を覆う回転つまみ１０と、ケース７０の下面側に設置されケース７０の開口７３を介して回転つまみ１０と一体に連結される回転体９０と、回転つまみ１０の中央に設けた開口部１５内に設置される押釦つまみ５０と、押釦つまみ５０によってオンオフされる中央スイッチ１６３と、回転つまみ１０を回転した際にクリック感触を生じるクリック機構とを具備する。クリック機構は、ケース７０の上面の外周縁部分に設けた凹凸からなるクリック係合部７９と、回転つまみ１０の下面に取り付けられクリック係合部７９に弾接するクリック弾接部３７を有するクリック板３０とを具備して構成される。【選択図】図１
2010140690.tif 000002
【特許請求の範囲】
【請求項１】
ケースと、前記ケースの上部を覆う回転つまみと、前記ケースの下面側に設置されこのケースに設けた開口を介して前記回転つまみと一体に連結される回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、前記回転つまみを回転した際にクリック感触を生じるクリック機構と、を具備する多機能型電子部品において、
前記クリック機構は、前記ケースの上面の外周縁部分に設けられた凹凸からなるクリック係合部と、前記回転つまみに取り付けられ前記クリック係合部に弾接するクリック弾接部を有するクリック板と、を具備して構成されていることを特徴とする多機能型電子部品。
【請求項２】
請求項１に記載の多機能型電子部品において、
前記多機能型電子部品はさらに、前記ケースを載置するとともに前記回転体との間に前記電気的機能部を配置してなる取付台と、この取付台を揺動自在に支持する支持部材と、前記取付台の揺動によって押圧される押圧スイッチと、を具備し、
前記ケースと取付台間の取り付けは、ケースの外周から半径方向外方に突出して前記クリック係合部よりも外方に位置する取付部と、この取付部に対向する位置に設けた取付台のケース取付部との間で行われることを特徴とする多機能型電子部品。
【請求項３】
請求項１または２に記載の多機能型電子部品において、
前記クリック係合部は、前記ケースの上面の外周縁部分からケースの外周側面を切り欠く位置まで形成されていることを特徴とする多機能型電子部品。
【発明の詳細な説明】
【技術分野】
【０００１】
本発明は、少なくとも回転式電子部品の機能と押圧式電子部品の機能とを併せ持つ多機能型電子部品に関するものである。
【背景技術】
【０００２】
従来、車載用ナビゲーションシステム、コンピュータ、各種携帯機器、各種ＯＡ機器、ゲーム機などを操作するデバイスとして回転式電子部品や揺動式電子部品や押圧式電子部品などが用いられている。そしてこの種の電子部品の中には、特許文献１の図１に示す多機能型電子部品（１）のように、回転式電子部品の回転つまみ（２０）の中央に押圧式電子部品の押釦つまみ（１０）を設置することで回転式電子部品と押圧式電子部品の機能を併せ持たせ、さらに前記回転つまみ（２０）をその上面から押圧・揺動させて操作させることで揺動式電子部品の機能を併せ持たせた構造のものがある。
【０００３】
しかしながら上記特許文献１に記載の多機能型電子部品（１）においては以下のような問題点があった。
〔１〕押圧式電子部品の操作性の向上やデザイン上の要求により、中央に設置する押釦つまみ（１０）の外径をより大きくしたい場合がある。そして特許文献１の多機能型電子部品（１）において回転つまみ（２０）の外径寸法を大きくしないで、押釦つまみ（１０）の外径寸法を大きくしようとすると、回転つまみ（２０）の開口部（２２）の内径を大きくする必要があり、これに伴って回転つまみ（２０）の内周突出部（２４）を回転自在に軸支しているケース（４０）の開口（４２）の内径も大きくしなければならないが、そうするとケース（４０）下面の外周近傍に形成したクリック係合部（４７）を設けるスペースがなくなってしまう。言い換えればケース（４０）の下面（内部）にクリック係合部（４７）を設けると、クリック係合部（４７）の寸法分、ケース（４０）の開口（４２）の内径寸法が小さくなり、このことから回転つまみ（２０）およびケース（４０）の外径寸法を拡大しないで押釦つまみ（１０）の外径寸法を大きくすることはできなかった。
【０００４】
〔２〕多機能型電子部品（１）の取付台（９０）よりも上部の部分の高さ寸法（厚み）は、主として、回転体（６０）とケース（４０）と回転つまみ（２０）の厚みを加えたものであるが、ケース（４０）にはその下面にクリック係合部（４７）を設けなければならないので、その分ケース（４０）の厚みが厚くなり、多機能型電子部品（１）のさらなる厚みの薄型化が図れなかった。
【特許文献１】特開２００７−３３５１９１号公報
【発明の開示】
【発明が解決しようとする課題】
【０００５】
本発明は上述の点に鑑みてなされたものでありその目的は、回転つまみの外径寸法を大きくすることなく回転つまみの中央に設置する押釦つまみの外径寸法の大型化が図れ、また厚み寸法の薄型化を図ることができる多機能型電子部品を提供することにある。
【課題を解決するための手段】
【０００６】
本願請求項１に記載の発明は、ケースと、前記ケースの上部を覆う回転つまみと、前記ケースの下面側に設置されこのケースに設けた開口を介して前記回転つまみと一体に連結される回転体と、前記回転つまみ及び回転体の回転によって電気的出力を変化する電気的機能部と、前記回転つまみの中央に設けた開口部内に設置される押釦つまみと、前記押釦つまみによってオンオフされる中央スイッチと、前記回転つまみを回転した際にクリック感触を生じるクリック機構と、を具備する多機能型電子部品において、前記クリック機構は、前記ケースの上面の外周縁部分に設けられた凹凸からなるクリック係合部と、前記回転つまみに取り付けられ前記クリック係合部に弾接するクリック弾接部を有するクリック板と、を具備して構成されていることを特徴とする多機能型電子部品にある。
【０００７】
本願請求項２に記載の発明は、請求項１に記載の多機能型電子部品において、前記多機能型電子部品はさらに、前記ケースを載置するとともに前記回転体との間に前記電気的機能部を配置してなる取付台と、この取付台を揺動自在に支持する支持部材と、前記取付台の揺動によって押圧される押圧スイッチと、を具備し、前記ケースと取付台間の取り付けは、ケースの外周から半径方向外方に突出して前記クリック係合部よりも外方に位置する取付部と、この取付部に対向する位置に設けた取付台のケース取付部との間で行われることを特徴とする多機能型電子部品にある。
【０００８】
本願請求項３に記載の発明は、請求項１または２に記載の多機能型電子部品において、前記クリック係合部は、前記ケースの上面の外周縁部分からケースの外周側面を切り欠く位置まで形成されていることを特徴とする多機能型電子部品にある。
【発明の効果】
【０００９】
請求項１に記載の発明によれば、クリック係合部をケース上面の外周縁部に設けたので、ケースの外周側壁の上部の部分をクリック係合部に利用でき、言い換えればケースの外周側壁の半径方向の厚みの中にクリック係合部を含ませることができ、その分ケースの中央部分のスペースを拡大でき、ケースに設ける開口の内径を容易に大きくすることができ、これによってケースや回転つまみの外径寸法を大きくすることなく回転つまみの中央に設置する押釦つまみの外径寸法を大型化することができる。
また請求項１に記載の発明によれば、クリック係合部をケース上面の外周縁部に設けたので、クリック係合部を容易に回転体の外周の外側に設置でき、したがって回転体の上面と同等位置または回転体の上面よりも下方の位置にクリック係合部の底面を配置でき、その分ケースの厚みを薄くでき、多機能型電子部品の厚みの薄型化が図れる。
【００１０】
請求項２に記載の発明によれば、取付台とケース間の取り付けを、クリック機構によって阻害されることなく、容易且つ確実に行うことができる。
【００１１】
請求項３に記載の発明によれば、クリック係合部をケースの外周側面を切り欠く位置まで形成したので、ケースの最も外周の位置にクリック係合部を設けることができ、請求項１の効果、すなわちケースの中央部分のスペースを拡大でき、ケースに設ける開口の内径を容易に大きくすることができ、これによってケースや回転つまみの外径寸法を大きくすることなく回転つまみの中央に設置する押釦つまみの外径寸法を大型化することができる、という効果をさらに効果的に発揮させることができる。
【発明を実施するための最良の形態】
【００１２】
以下、本発明の実施形態を図面を参照して詳細に説明する。図１は本発明の１実施形態にかかる多機能型電子部品１の概略側断面図、図２は多機能型電子部品１を上側から見た斜視図、図３は多機能型電子部品１を下側から見た斜視図、図４は多機能型電子部品１の上側の部品を上側から見た分解斜視図、図５は多機能型電子部品１の下側の部品を上側から見た分解斜視図、図６は多機能型電子部品１の上側の部品を下側から見た分解斜視図、図７は多機能型電子部品１の下側の部品を下側から見た分解斜視図である。なお以下の説明において、「上」とはケース７０から見てその上に覆うように設置される回転つまみ１０の方向をいい、「下」とはその反対方向をいうものとする。
【００１３】
これらの図に示すように多機能型電子部品１は、回転つまみ１０と、クリック板３０と、押釦つまみ５０と、ケース７０と、回転体９０と、摺動子１１０と、取付台１３０と、回路基板（以下「フレキシブル回路基板」という）１５０と、支持部材１７０とを具備して構成されている。
【００１４】
回転つまみ１０は合成樹脂の成形品（この実施形態ではＡＢＳ樹脂を用いているが、他の各種熱可塑性の合成樹脂を用いても良い）であり、略円板状の本体部１１の外周から下方に向けて筒状に側壁部１３を突出し、また本体部１１の中央に円形の開口部１５を設けて構成されている。本体部１１の下面の開口部１５の周囲には下方向に突出する筒状の軸支部１７が設けられている。軸支部１７の内径寸法は下記する押釦つまみ５０のつば部５５をちょうど上下動自在に収納できる寸法であり、軸支部１７の外径寸法は下記するケース７０の開口７３に挿入されて回動自在に軸支される寸法である。軸支部１７の１８０°対向する２ヶ所には凹状に凹むとともに半径方向外方に向かって延びる平面状のクリック板設置部１９が設けられており、これらクリック板設置部１９の面からは下方向に向かって小突起状のクリック板係止部２１が突設されている。また軸支部１７の下面上の等間隔の３ヶ所には下方向に向かって突出する小突起状の回転体取付部２３が設けられている。また回転つまみ１０下面の軸支部１７の外周側には前記一対のクリック板設置部１９を除く部分にリング状（一対の半円弧状）に凹む弾接部挿入部２５が形成されている。
【００１５】
クリック板３０は弾性金属板（たとえばステンレス板）をリング形状に形成して構成されており、その内周辺の１８０°対向する位置から内側（中心）方向に向けて一対の舌片状の取付部３１を突設して構成されている。各取付部３１の先端近傍位置には前記回転つまみ１０のクリック板取付部２１を挿入する回転つまみ取付部３３が設けられている。一対の取付部３１の両側に位置する円弧状部分は一対のアーム部３５であり、両アーム部３５のそれぞれ中央には下方向に突出するように湾曲してなるクリック弾接部３７が設けられている。
【００１６】
押釦つまみ５０は合成樹脂（この実施形態ではＡＢＳ樹脂を用いているが、他の各種熱可塑性の合成樹脂を用いても良い）の成形品であり、略円板状の本体部５１と、本体部５１の下面中央から下方向に突出する柱状の押圧部５３とを具備し、また本体部５１の外周下部から薄板状のつば部５５を突出して構成されている。押圧部５３の外周面には上下方向（軸方向）に沿う突条からなる回り止め係合部５７が設けられている。
【００１７】
ケース７０は合成樹脂（この実施形態ではポリカーボネート（ＰＣ）樹脂を用いているが、他の各種熱可塑性の合成樹脂を用いても良い）の成形品であり、略円板状であってその中央に前記回転つまみ１０の軸支部１７を回動自在に挿入する上下に貫通する円形の開口７３を設けて構成されている。ケース７０下面の開口７３の周囲には、回転体９０を収納する深さを有する円形凹状の回転体収納部７５が設けられ、この回転体収納部７５の周囲を囲むケース７０の外周側壁７６の外周下部からは等間隔に４つの舌片状の取付部７７が半径方向外方に向けて突出している。各取付部７７は略平板矩形状であり、その下面からは小突起状の係止部８０が突出している。またケース７０の上面の外周縁部分（外周側壁７６の上面の部分）にはリング状の凹凸からなるクリック係合部７９が設けられている。クリック係合部７９を構成する各凹凸はケース７０の上面の外周縁部分からケース７０の外周側面を切り欠く位置まで形成されている。外周側壁７６の下面の所定位置には下方向に突出する一対の第１回路基板部係止部８１が設けられている。
【００１８】
回転体９０は合成樹脂（この実施形態ではＰＣ樹脂を用いているが、他の各種熱可塑性の合成樹脂を用いても良い）の成形品であり、円形の平板状に形成され、中央に下記する取付台１３０の筒状突出部１３１を回転自在に挿入（軸支）する円形の開口部９１を設け、また回転つまみ１０の各回転体取付部２３に対向する３ヶ所の位置に貫通孔からなる挿入部９３を設け、また回転つまみ１０の軸支部１７中に設けた凹状の一対のクリック板設置部１９に対向する位置にクリック板押え部９５を設けて構成されている。一対ずつのクリック板押え部９５はそれぞれこれらに対向する回転つまみ１０の軸支部１７中の凹状となっているクリック板設置部１９の部分にぴったり挿入される寸法に形成され、一対のクリック板押え部９５の間には前記回転つまみ１０のクリック板係止部２１を挿入する溝からなる係止部挿入部９７が設けられている。回転体９０の下面は摺動子１１０を設置する摺動子設置部９９となっており、摺動子設置部９９の面の同一円周上の等間隔（１２０°間隔）の３ヶ所の位置には、小突起状の摺動子固定部１０１が設けられている。
【００１９】
電気的機能部を構成する摺動子１１０は弾性金属板製であり、回転体９０の外径寸法よりも若干小さな外径寸法を有する略円形の平板状でリング状に形成され、中央に円形の開口部１１１を設けるとともに、等間隔（１２０°間隔）の複数位置（３ヶ所）に、前記回転体９０の摺動子固定部１０１を挿入する貫通孔からなる取付固定部１１３を設け、各取付固定部１１３の側部から３本ずつの摺接ブラシ１１５を摺動子１１０の円形の外形に沿うように突出して配置し、また各取付固定部１１３の近傍位置（回転つまみ１０の各回転体取付部２３に対向する位置）に摺動子１１０の内周辺を凹状に切り欠いてなる取付部挿通部１１９を設けて構成されている。各組の摺接ブラシ１１５の先端近傍部分は接点部１１７となっている。
【００２０】
取付台１３０は合成樹脂（この実施形態ではＰＣ樹脂を用いているが、他の各種熱可塑性の合成樹脂を用いても良い）を略矩形平板状（略正方形板状）に成形して構成されており、その中央には上方向に向かって突出する筒状突出部１３１が設けられ、筒状突出部１３１の中央には略円形で上下に貫通する開口部１３３が設けられている。開口部１３３は押釦つまみ５０の押圧部５３を上下動自在に挿通させるものであり、その内周面には、押釦つまみ５０の回り止め係合部５７を係合する軸方向（上下方向）に伸びる溝（上部はスリット）からなる回り止め１３５が形成されている。取付台１３０の４つの角部の前記ケース７０の各取付部７７に対向する部分はケース取付部１３７となっており、各ケース取付部１３７中の前記ケース７０の各係止部８０に対向する位置には上下に貫通する小孔からなる取付固定部１３９が形成されている。各ケース取付部１３７の先端部分は舌片状に突出する係合片１４１となっている。取付台１３０の下面の各取付固定部１３９の間の所定位置（下記する各押圧スイッチ１６５に対向する位置）には下方向に向かって柱状に突出する押圧部１４３が形成されている。また取付台１３０の１外周辺近傍（前記ケース７０の各第１回路基板部係止部８１に対向する位置）には２つの上下に貫通する小孔からなるケース係止部１４５が形成されている。
【００２１】
フレキシブル回路基板１５０は、可撓性を有する合成樹脂フイルム上に所望の回路パターンを形成して構成されており、細帯状の連結部１５５によって第１回路基板部１５１と第２回路基板部１５３とを連結し、さらに第２回路基板部１５３に細帯状の引出部１５８を接続して構成されている。合成樹脂フイルムの材質は、可撓性のある合成樹脂フイルムであれば熱可塑性フイルムでも熱硬化性フイルムでも光硬化性フイルムでもよく、この実施形態では熱可塑性のポリエチレンテレフタレート（ＰＥＴ）フイルムを用いているが、それ以外にもたとえばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等を使用しても良い。
【００２２】
フレキシブル回路基板１５０の第１回路基板部１５１は略円形の外形を有し、中央に前記取付台１３０の筒状突出部１３１を挿通する円形の開口部１５７を設け、またその外周近傍の所定位置（前記取付台１３０の各ケース係止部１４５に対向する２か所）に貫通する小孔からなる挿通部１５９を設け、さらに第１回路基板部１５１の下面の開口部１５７の周囲を囲む位置に電気的機能部である摺接パターン１６１を形成して構成されている。摺接パターン１６１の具体的構成は図示していないが、スイッチパターンであってもよいし、抵抗体パターンであってもよいし、それら以外の各種機能を有するパターンであってもよい。摺接パターン１６１は導電塗料を塗布することで形成してもよいし、貼り付けた金属箔をエッチングすることによって形成してもよいし、蒸着などの手段によって形成してもよい。第２回路基板部１５３は略矩形状であり、その上面の中央に中央スイッチ１６３を設置し、中央スイッチ１６３の周囲を囲む位置に等間隔（９０°間隔）に複数（４つ）の押圧スイッチ１６５を設置して構成されている。中央スイッチ１６３及び押圧スイッチ１６５は、第２回路基板部１５３上に形成した図示しないスイッチパターン上に弾性金属板をドーム形状に形成してなる反転板（この実施形態では可動接点板）１６３ａ、１６５ａを設置して構成されている。第２回路基板部１５３の押圧スイッチ１６５の外側周囲を等間隔に囲む４か所の位置（下記する支持部材１７０に設ける挿通部１７７に対向する位置）には、貫通孔または切り欠きからなる挿通部１６７が設けられ、貫通孔となっている２つの挿通部１６７の外周側（下記する支持部材１７０に設ける係合片取付部１７３に対向する位置）には直線状に延びる貫通孔からなる貫通挿通部１６９が設けられている。引出部１５８には前記摺接パターン１６１や中央スイッチ１６３や押圧スイッチ１６５と接続されている回路パターンが引き出されている。
【００２３】
支持部材１７０は金属製の硬質板（例えば鉄板）の外形を略矩形状（略正方形状）としてなる支持部材基部１７１を有し、支持部材基部１７１の外周の４つの角部（すなわち略等間隔の４か所）から外方に向けて舌片状の係合片取付部１７３を突出し、その根元部分を上方に向けて折り曲げてほぼ垂直に立設して構成されている。各係合片取付部１７３には前記取付台１３０に設けた各係合片１４１を挿入して係止する略矩形状の開口からなる係合片挿入部１７５が設けられている。係合片挿入部１７５の下部から支持部材基部１７１内に向かっては、係合片挿入部１７５に連続するように矩形状の開口からなる挿通部１７７が設けられている。各挿通部１７７は前記第２回路基板部１５３の各挿通部１６７に対向する位置に各挿通部１６７と略同一形状寸法に形成されている。
【００２４】
多機能型電子部品１を組み立てるには、まず予め回転体９０の摺動子設置部９９に摺動子１１０を設置し、その際回転体９０の各摺動子固定部１０１を摺動子１１０の各取付固定部１１３に挿入してその先端を熱かしめして固定しておく。次に回転つまみ１０の下面にクリック板３０を設置し、その際クリック板３０の一対の取付部３１を回転つまみ１０の一対のクリック板設置部１９上に当接し、その際回転つまみ１０の一対のクリック板係止部２１をクリック板３０の各回転つまみ取付部３３に挿入する。このときクリック板３０の一対のアーム部３５は回転つまみ１０の一対の弾接部挿入部２５の下側に対向して位置する。
【００２５】
次に回転つまみ１０の開口部１５にその下面側から押釦つまみ５０の本体部５１を挿入し、本体部５１の上面を開口部１５から回転つまみ１０の上面側に露出させる。次に回転つまみ１０の下面側にケース７０を設置する。このときケース７０の開口７３内に回転つまみ１０の軸支部１７が回動自在に挿入され、また回転つまみ１０の側壁部１３の内側にケース７０の各取付部７７を除く外周部分全体が入り込み、同時にケース７０の各取付部７７は回転つまみ１０の外周から半径方向外方に突出する。
【００２６】
次に前記摺動子１１０を取り付けた回転体９０をケース７０の回転体収納部７５内に収納し、その際、押釦つまみ５０の押圧部５３を回転体９０の開口部９１に挿通させるとともに、回転つまみ１０の各回転体取付部２３を回転体９０の各挿入部９３とクリック板３０の各取付部挿通部１１９に挿入し、各回転体取付部２３の先端を熱かしめし、これによって回転つまみ１０と回転体９０とをケース７０を介して回動自在に一体化する。このとき回転体９０のクリック板押え部９５は回転つまみ１０の軸支部１７中の凹状になっているクリック板設置部１９内に挿入され（このとき回転つまみ１０のクリック板係止部２１は回転体９０の係止部挿入部９７内に挿入・係合している）、その先端がクリック板３０の取付部３１をクリック板設置部１９に押し付けてクリック板３０を回転つまみ１０に固定している。
【００２７】
次にフレキシブル回路基板１５０の第１回路基板部１５１をその下面（摺接パターン１６１を設けた側の面）を上向きとした状態で取付台１３０の上面に載置し、その際その開口部１５７に取付台１３０の筒状突出部１３１を挿通する。このとき取付台１３０の各ケース係止部１４５と第１回路基板部１５１の各挿通部１５９の位置を一致させておく。そして第１回路基板部１５１を設置した取付台１３０を前記ケース７０の下側に設置する。このとき回転体９０の開口部９１内に筒状突出部１３１を挿入し、同時に押釦つまみ５０の押圧部５３をその回り止め係合部５７を回り止め１３５に係合させながら開口部１３３内に挿入し、押圧部５３の下端を取付台１３０の下面側に突出させる。同時にケース７０の各第１回路基板部係止部８１を第１回路基板部１５１の各挿通部１５９と取付台１３０の各ケース係止部１４５とに挿通し、同時に取付台１３０の各取付固定部１３９にケース７０の各係止部８０を挿入し、各係止部８０の先端を取付台１３０の下面で熱かしめし、これによってケース７０の各取付部７７と取付台１３０の各ケース取付部１３７間を取り付けて固定する。このとき回転体９０に取り付けた摺動子１１０の接点部１１７は第１回路基板部１５１上の摺接パターン１６１に弾接している。
【００２８】
次に前記フレキシブル回路基板１５０の連結部１５５の部分を下方に折り返すことで、第２回路基板部１５３を取付台１３０の下側に配置し、さらに第２回路基板部１５３の下面側に第２回路基板部１５３と重なるように支持部材１７０を設置する。このとき支持部材１７０の各係合片取付部１７３を第２回路基板部１５３の貫通挿通部１６９または第２回路基板部１５３の外周辺の外側を通して第２回路基板部１５３の上面側に突出させ、同時にこれら各係合片取付部１７３に設けた係合片挿入部１７５内に取付台１３０の各係合片１４１をスナップイン係合によって挿入して取り付ける。このとき取付台１３０の各押圧部１４３はそれぞれ各押圧スイッチ１６５の反転板１６５ａ上に当接し、この状態で各係止片１４１が各係合片挿入部１７５の内周上辺に当接することで、取付台１３０が支持部材１７０によって揺動自在に支持された状態となる。同時に押釦つまみ５０の押圧部５３の下端面も中央スイッチ１６３の反転板１６３ａ上に当接する。またこのとき図３，図８に示すように、前記熱かしめしたケース７０の係止部８０の下部は、支持部材１７０の挿通部１７７の部分に露出している。以上により図１に示す多機能型電子部品１が完成する。なお上記組立手順はその一例であり、他の各種異なる組立手順を用いて組み立てても良いことはいうまでもない。たとえば前記ケース７０の係止部８０先端の熱かしめは、ケース７０の下面に取付台１３０を設置したときではなく、さらに取付台１３０の下面側に第２回路基板部１５３と支持部材１７０を設置した後に、前記第２回路基板部１５３の挿通部１６７と支持部材１７０の挿通部１７７の部分に露出している係止部８０の先端に対して行ってもよい。
【００２９】
ところでこの多機能型電子部品１のようにケース７０と取付台１３０間の取り付けを、ケース７０の外周から半径方向外方に突出する取付部７７と、この取付部７７に対向する位置に設けた取付台１３０のケース取付部１３７との間で行ったのは、以下の理由による。すなわちたとえば特許文献１の図１に示す従来の構造の多機能型電子部品（１）の場合は、クリック機構がケース（４０）の内部に収納されているので、ケース（４０）と取付台（９０）間を固定するためにケース（４０）の外周側壁（４３）の下端辺から突出する取付台固定部（４５）（特許文献１の図２参照）の先端を取付台（９０）に貫通させてその下面で熱かしめする方法をとっており、この場合は回転つまみ（２０）の上面を受け面として取付台（９０）の下面で前記取付台固定部（４５）先端を押しつぶして熱かしめしている。しかしながら本発明にかかる多機能型電子部品１の場合は、図１に示すように回転つまみ１０の下面とケース７０の上面の外周縁近傍部分との間にクリック機構を設置しているので、回転つまみ１０とケース７０の間に空隙があり、このため特許文献１のように外周側壁７６下部において取付台１３０との取り付けを行うために回転つまみ１０の上面を受け面とすると、熱かしめ時にケース７０がぐらつきやすくなり、安定した熱かしめができなくなる恐れがある。そこで本発明にかかる多機能型電子部品１においては上述のように、ケース７０と取付台１３０間の取り付けを、図８に示すようにケース７０の外周から半径方向外方に突出する取付部７７と、この取付部７７に対向する位置に設けた取付台１３０のケース取付部１３７との間で行うこととし（この実施形態の場合は取付部７７の上面が受け面になる）、これによって取付台１３０とケース７０間の取り付けを、クリック機構によって阻害されることなく、容易且つ確実に行うこととしたのである。
【００３０】
次に多機能型電子部品１の動作を説明する。まず回転つまみ１０を回転すると、これと一体にクリック板３０及び回転体９０及び摺動子１１０が回転し、これによってクリック板３０のクリック弾接部３７がケース７０のクリック係合部７９に弾接係合してクリック感触が生じるとともに、摺動子１１０の接点部１１７が第１回路基板部１５１の摺接パターン１６１上を摺動して摺接パターン１６１の電気的出力が変化する。なおクリック板３０のクリック弾接部３７がクリック係合部７９の凸の部分に乗り上げた際、そのクリック弾接部３７及びその両側のアーム部３５は弾接部挿入部２５に入り込む。
【００３１】
一方押釦つまみ５０の本体部５１の上面を押圧すると、押釦つまみ５０が下降してその押圧部５３が中央スイッチ１６３の反転板１６３ａを押圧して反転させ、これによって中央スイッチ１６３がオンする。押釦つまみ５０への押圧を解除すれば、反転板１６３ａは元の形状に自動復帰し、押釦つまみ５０は押し上げられ、中央スイッチ１６３はオフする。一方回転つまみ１０の本体部１１上面の、前記取付台１３０の何れかの押圧部１４３に対応する部分を下方向に押圧すると、取付台１３０上に設置している各構成部品（ケース７０や回転体９０や回転つまみ１０など）が取付台１３０と一体に押圧された方向に傾いて揺動し、下降した側の押圧部１４３がこれに対向する押圧スイッチ１６５の反転板１６５ａを押圧して反転させてその押圧スイッチ１６５がオンする。前記回転つまみ１０への押圧を解除すれば、反転板１６５ａの自動復帰力によって取付台１３０上の回転つまみ１０を含む各構成部品が一体に元の位置に自動復帰し、押圧スイッチ１６５はオフする。
【００３２】
そして上記多機能型電子部品１は、回転つまみ１０を回転した際にクリック感触を生じるクリック機構を、ケース７０の上面の外周縁部分に設けた凹凸からなるクリック係合部７９と、回転つまみ１０の下面に取り付けられクリック係合部７９に弾接するクリック弾接部３７を有するクリック板３０とを具備して構成させたので、ケース７０の外周側壁７６の上部の部分をクリック係合部７９に利用できる。言い換えればケース７０の外周側壁７６の半径方向の厚みの中にクリック係合部７９を含ませることができ、その分ケース７０の中央部分のスペースを拡大でき、ケース７０に設ける開口７３の内径を容易に大きくすることができ、これによってケース７０や回転つまみ１０の外径寸法を大きくすることなく回転つまみ１０の中央に設置する押釦つまみ５０の外径寸法を大型化することができる。
【００３３】
特に上記実施形態においては、クリック係合部７９をケース７０の上面の外周縁部分からケース７０の外周側面を切り欠く位置まで形成しているので、ケース７０の最も外周の位置にクリック係合部７９を設けることができ、上記効果をさらに効果的に発揮させることができる。
【００３４】
またクリック係合部７９をケース７０上面の外周縁部に設けたので、クリック係合部７９を容易に回転体９０の外周の外側に設置でき、したがって回転体９０の上面と同等位置または回転体９０の上面よりも下方の位置にクリック係合部７９の底面を配置でき、その分ケース７０の上下方向の厚みを薄くでき、多機能型電子部品１の上下方向の厚みの薄型化が図れる。
【００３５】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば前記クリック機構を構成するクリック係合部７９は、ケース７０の上面の外周縁部分の全周ではなくその一部の部分のみに設けてもよく、その凹凸形状も種々の変形が可能である。またクリック板３０の形状・構造なども種々の変形が可能である。また上記実施形態ではケース７０の取付部７７に設けた小突起状の係止部８０を取付台１３０のケース取付部１３７に設けた小孔からなる取付固定部１３９に挿入して係止部８０の先端を熱かしめしたが、逆にケース取付部１３７に設けた小突起を取付部７７に設けた小孔に挿入して小突起の先端を熱かしめしてもよい。また場合によっては熱かしめ以外の取付構造によってケース７０の取付部７７と取付台１３０のケース取付部１３７間を取り付けてもよい。また上記実施形態では取付台１３０を揺動自在として揺動式電子部品の機能を持たせているが、場合によっては押圧スイッチ１６５の設置を省略して取付台１３０を支持部材１７０に対して揺動しない構成とし、これによって揺動式電子部品の機能を省略してもよい。
【図面の簡単な説明】
【００３６】
【図１】多機能型電子部品１の概略側断面図である。
【図２】多機能型電子部品１を上側から見た斜視図である。
【図３】多機能型電子部品１を下側から見た斜視図である。
【図４】多機能型電子部品１の上側の部品を上側から見た分解斜視図である。
【図５】多機能型電子部品１の下側の部品を上側から見た分解斜視図である。
【図６】多機能型電子部品１の上側の部品を下側から見た分解斜視図である。
【図７】多機能型電子部品１の下側の部品を下側から見た分解斜視図である。
【図８】ケース７０の取付部７７と取付台１３０のケース取付部１３７との取付状態を示す要部拡大概略断面図である。
【符号の説明】
【００３７】
１  多機能型電子部品
１０  回転つまみ
１３  側壁部
１５  開口部
１７  軸支部  
３０  クリック板（クリック機構）
３７  クリック弾接部
５０  押釦つまみ
７０  ケース
７３  開口
７６  外周側壁
７７  取付部
７９  クリック係合部（クリック機構）
８０  係止部
９０  回転体
１１０  摺動子（電気的機能部）
１３０  取付台
１３７  ケース取付部
１５０  フレキシブル回路基板（回路基板）
１５１  第１回路基板部
１５３  第２回路基板部
１６１  摺接パターン（電気的機能部）
１６３  中央スイッチ
１６５  押圧スイッチ
１７０  支持部材
【図１】
2010140690.tif 000003
【図２】
2010140690.tif 000004
【図３】
2010140690.tif 000005
【図４】
2010140690.tif 000006
【図５】
2010140690.tif 000007
【図６】
2010140690.tif 000008
【図７】
2010140690.tif 000009
【図８】
2010140690.tif 000010